(57)【要約】【課題】ＩＣカードが小型化され、そのコンタクトパッド相互間ピッチがより狭小とされる場合であっても、所謂、二点接触式のコンタクト端子の接点と隣接するコンタクト端子の接点との相互間距離をより短くできること。【解決手段】ベース部材１２における端子固定壁１２ＢＷに一列に固定される二点接触式のコンタクト端子２４、３０等を含むコンタクト端子群において、二点接触式のコンタクト端子２４、３０の可動片の接点部と隣接する他のコンタクト端子２２、２８、３２等の可動片部の接点部との相互間距離Ｐ１が、端子固定壁１２ＢＷにおける各コンタクト端子２２、２４、２６、２８、３０、３２等の半田付端子部の相互間距離Ｐ２に比して小となるように、コンタクト端子２４および３０における可動片部の一方の分岐部２４ｂおよび３０ｂ、ならびに、コンタクト２２、２８等の可動片部が共通の平面上において所定角度をもって隣接するコンタクト端子の可動片部に向かって傾斜するもの。【選択図】図１
2008010377.tif 000002
【特許請求の範囲】
【請求項１】
一列に互いに離隔した複数の電極部を有するＩＣカードが選択的に装着されるカード収容部を有するベース部材と、
前記ベース部材に配され、前記装着されたＩＣカードの一つの電極部に当接し電気的に接続される接点部が形成される可動片部および前記ベース部材に固定される固定部を有する第１のコンタクト端子と、
前記第１のコンタクト端子に隣接して前記ベース部材に配され、前記装着されたＩＣカードの他の一つの共通の電極部に当接し電気的に接続される二股状に分岐した部分の先端に位置する複数の接点部を有する分岐部および前記ベース部材に固定される固定部を有する第２のコンタクト端子と、を備え、
前記第１のコンタクト端子の接点部と前記第２のコンタクト端子の複数の接点部のうち少なくとも一方の接点部との相互間距離が、前記第１のコンタクト端子の固定部と前記第２のコンタクト端子の固定部との相互間距離に比して小となるように該第１のコンタクト端子の可動片部が該第２のコンタクト端子の分岐部の少なくとも一方の分岐した部分に向かって傾斜していることを特徴とするＩＣカード用コネクタ。
【請求項２】
前記第２のコンタクト端子の分岐部の一方の分岐した部分が、該分岐部の他方の分岐した部分に対し傾斜していることを特徴とする請求項１記載のＩＣカード用コネクタ。
【発明の詳細な説明】
【技術分野】
【０００１】
本発明は、二点接触式コンタクト端子を備えるＩＣカード用コネクタに関する。
【背景技術】
【０００２】
電子機器において、一般に、ＭＭＣ（ｍｕｌｔｉ  ｍｅｄｉａ  ｃａｒｄ）カード（商標）、ＳＤ（ｓｅｃｕｒｅ  ｄｉｇｉｔａｌ）カード等のＩＣカードをその各機器にＩＣカードコネクタを介して装着することにより、各種の機能拡張が行なわれている。
【０００３】
そのようなＩＣカード用コネクタは、ＩＣカードの各コンタクトパッドに電気的に接続されるコンタクト端子を複数個有し選択的にＩＣカードを収容するハウジング部材を備えている。
【０００４】
また、そのようなコンタクト端子においては、例えば、特許文献１、特許文献２および特許文献３にも示されるように、電子機器の落下等により、装備されたＩＣカード用コネクタに衝撃力が作用した場合、ＩＣカードのコンタクトパッドに対する瞬断を防止するために一つの共通のコンタクトパッドに対し二つの接点部を当接させる方式、所謂、二点接触式のコンタクト端子が提案されている。そのような二点接触式のコンタクト端子は、二股に分岐された部分の先端に接点部をそれぞれ有する可動片部と、ＩＣカード用コネクタが配される配線基板の電極部に半田付け固定される固定端子部と、可動片部の一端と固定端子部の一端とを連結する固定部とから構成されている。二点接触式のコンタクト端子は、一般に、その固定部が隣接するコンタクト端子と互いに略平行となるように、そのハウジング部材の幅方向に沿ってハウジング部材に固定されている。
【０００５】
【特許文献１】特許第３７１３００３号公報
【特許文献２】特開２００２−２１６９１４号公報
【特許文献３】特開２００２−１００４４０号公報
【発明の開示】
【発明が解決しようとする課題】
【０００６】
近年、ＩＣカードの小型化がさらに進むにつれて、上述のようなＩＣカードのコンタクトパッドの大きさは、小さくなり、コンタクトパッド相互間のピッチは、より狭小となる傾向にある。これにより、ＩＣカードの小型化の要望に対応したより小さいサイズのＩＣカード用コネクタを作製する場合、上述の瞬断対策のために二点接触式のコンタクト端子がさらに小型化されたハウジング部材に配置されるとき、上述したように、そのコンタクト端子の固定部を互いに平行に、かつ、その幅方向に一列状に並設するとともに、隣接するコンタクト端子の接点における相互間距離をより短くすることは、その固定部の幅がその接点部の幅に比べて大なので困難となる場合がある。
【０００７】
以上の問題点を考慮し、本発明は、二点接触式コンタクト端子を備えるＩＣカード用コネクタであって、ＩＣカードが小型化され、そのコンタクトパッド相互間ピッチがより狭小とされる場合であっても、所謂、二点接触式のコンタクト端子の接点と隣接するコンタクト端子の接点との相互間距離をより短くできるＩＣカード用コネクタを提供することを目的とする。
【課題を解決するための手段】
【０００８】
上述の目的を達成するために、本発明に係るＩＣカード用コネクタは、一列に互いに離隔した複数の電極部を有するＩＣカードが選択的に装着されるカード収容部を有するベース部材と、ベース部材に配され、装着されたＩＣカードの一つの電極部に当接し電気的に接続される接点部が形成される可動片部およびベース部材に固定される固定部を有する第１のコンタクト端子と、第１のコンタクト端子に隣接してベース部材に配され、装着されたＩＣカードの他の一つの共通の電極部に当接し電気的に接続される二股状に分岐した部分の先端に位置する複数の接点部を有する分岐部およびベース部材に固定される固定部を有する第２のコンタクト端子と、を備え、第１のコンタクト端子の接点部と第２のコンタクト端子の複数の接点部のうち少なくとも一方の接点部との相互間距離が、第１のコンタクト端子の固定部と第２のコンタクト端子の固定部との相互間距離に比して小となるように第１のコンタクト端子の可動片部が第２のコンタクト端子の分岐部の少なくとも一方の分岐した部分に向かって傾斜していることを特徴とする。
【発明の効果】
【０００９】
以上の説明から明らかなように、本発明に係るＩＣカード用コネクタによれば、第１のコンタクト端子の接点部と第２のコンタクト端子の複数の接点部のうち少なくとも一方の接点部との相互間距離が、第１のコンタクト端子の固定部と第２のコンタクト端子の固定部との相互間距離に比して小となるように第１のコンタクト端子の可動片部が第２のコンタクト端子の分岐部の少なくとも一方の分岐した部分に向かって傾斜しているのでＩＣカードが小型化され、そのコンタクトパッド相互間ピッチがより狭小とされる場合であっても、所謂、二点接触式のコンタクト端子の接点と隣接するコンタクト端子の接点との相互間距離をより短くできる。
【発明を実施するための最良の形態】
【００１０】
図２は、本発明に係るＩＣカード用コネクタの一例の外観を示す。
【００１１】
図２に示されるＩＣカード用コネクタは、所定の電子機器、例えば、携帯電話機、ＰＤＡ、カメラ等の内部に配されるものとされる。
【００１２】
図２において、ＩＣカード用コネクタは、その幅方向に沿って配列される後述する複数のコンタクト端子１６〜コンタクト端子３６を有し、ＩＣカード４０（図６参照）を図６において矢印の示す方向に沿って着脱可能に収容するベース部材１２と、ベース部材１２全体を覆いＩＣカード４０のカード収容室１４をベース部材１２と協働して形成するカバー部材１０と、を主な要素として含んで構成されている。
【００１３】
ＩＣカード４０は、例えば、図６に示されるように、後述するコンタクト端子１６〜コンタクト端子３６の配列に対応して電極部としての複数のコンタクトパッド４０Ｐｉ（ｉ＝１〜１１）が一方の表面部の端部に一列に所定の間隔で形成されている。図６において、例えば、右端から５番目のコンタクトパッド４０Ｐ５は、電源ライン用コンタクトパッドとされ、また、右端から８番目のコンタクトパッド４０Ｐ８は、接地ライン用コンタクトパッドとされる。コンタクトパッド４０Ｐ５およびコンタクトパッド４０Ｐ８の長辺の長さは、互いに略同一とされ、他の隣接するコンタクトパッド４０Ｐｉの長辺の長さに比して若干大に設定されている。コンタクトパッド４０Ｐ５およびコンタクトパッド４０Ｐ８の短辺の長さは、他の隣接するコンタクトパッド４０Ｐｉの短辺の長さと同一に設定されている。他の隣接するコンタクトパッド４０Ｐｉの形状は、互いに同一形状とされる。
【００１４】
ベース部材１２全体を覆いＩＣカード４０のカード収容室１４を形成するカバー部材１０は、図２および図３に示されるように、例えば、金属製の薄板材料により成形されている。門形の断面形状を有するカバー部材１０は、ベース部材１２の側壁部１２ＲＷ、１２ＬＷをそれぞれ覆う一対の側面部と、双方の側面部に連なりカード収容室１４の上方を形成する平坦面部とを含んで構成されている。
【００１５】
各側面部には、それぞれ、図２および図５に示されるように、ベース部材１２の各爪部１２ｎに対応して係合孔１０ｄが複数個形成されている。各係合孔１０ｄの周縁は、各爪部１２ｎに係合されている。
【００１６】
平坦面部における端子固定壁部１２ＢＷに対応する端部側には、上述の各コンタクト端子１６〜３６の接点部に対向して複数の略長方形のスリット部１０Ｓｉ（ｉ＝１〜１１）が互いに略平行に所定の間隔で形成されている。平坦面部における側壁部１２ＲＷ、１２ＬＷ側には、ＩＣカード４０の排出時におけるＩＣカード４０の急峻な飛び出しを抑制するブレーキ片１０ａ，１０ｂが形成されている。
【００１７】
ベース部材１２は、例えば、電気的絶縁性を有する樹脂材料により成形されており、所定の電子機器内部の配線基板ＰＢ（図３参照）の電極部に対応してその基板上配置されている。ベース部材１２は、図１に示されるように、配線基板ＰＢ上に載置されカード収容室１４の底部を形成する底面部と、その底面部における両側部をそれぞれ形成する側壁部１２ＲＷおよび１２ＬＷと、側壁部１２ＲＷの一端と側壁部１２ＬＷの一端とを連結する端子固定壁部１２ＢＷとから構成されている。
【００１８】
端子固定壁部６ＢＷには、薄板金属材料で作られるコンタクト端子１６〜３６の固定部がそれぞれ所定の間隔で固定されている。コンタクト端子１６〜３６の固定部は、例えば、ベース部材１２の成形のとき、ベース部材１２とともに鋳込まれる。
【００１９】
図１において最も右端に位置するコンタクト端子１６は、配線基板ＰＢの電極部に半田付固定される半田付端子部１６Ｓと、ＩＣカード４０のコンタクトパッド４０Ｐ１に当接し電気的に接続される接点部を有する可動片部と、半田付端子部と可動片部の基端とを連結する固定部とを含んで構成されている。
【００２０】
その可動片部は、その接点部が側壁部１２ＲＷから内側に向かって離隔する方向に固定部（可動片部の基端）に対して所定の角度をもって傾斜している。その接点部は、固定部の中心軸線に対し距離ＰＥだけ離隔している。また、可動片部の側壁部１２ＲＷに沿った長さは、寸法Ｌに設定されている。従って、その所定の傾斜角度は、ｔａｎ−（ＰＥ／Ｌ）となる。
【００２１】
コンタクト端子１６の半田付端子部１６Ｓは、図４に示されるように、端子固定壁部１２ＢＷの端面から外部に向けて突出している。なお、後述する他のコンタクト端子１８〜３４の半田付端子部１８Ｓ〜３６Ｓも同様に端子固定壁部１２ＢＷの端面から外部に向けて突出している。
【００２２】
コンタクト端子１６に対し左側に隣接するコンタクト端子１８は、配線基板ＰＢの電極部に半田付固定される半田付端子部１８Ｓと、ＩＣカード４０のコンタクトパッド４０Ｐ２に当接し電気的に接続される接点部を有する可動片部と、半田付端子部と可動片部の基端とを連結する固定部とを含んで構成されている。
【００２３】
その可動片部は、その接点部が側壁部１２ＲＷから内側に向かって離隔する方向に固定部（可動片部の基端）に対して所定の角度をもって傾斜している。これにより、コンタクト端子１６の接点部とコンタクト端子１８の接点部との相互間距離Ｐ１は、コンタクト端子１６の半田付端子部１６Ｓとコンタクト端子１８の半田付端子部１８Ｓとの相互間距離Ｐ２に比して小であり、例えば、約１．１ｍｍに設定されている。なお、後述する互いに隣接するコンタクト端子の接点部における相互間距離も、同様に約１．１ｍｍに設定されている。
【００２４】
コンタクト端子１８の左側に隣接するコンタクト端子２０および２２の半田付端子部も、所定の相互間隔Ｐ２で配されている。コンタクト端子２０および２２も、その傾斜角度を除き、コンタクト端子１６および１８と同様な構成を有している。なお、後述する互いに隣接する他のコンタクト端子の半田付端子部における相互間距離も、同様に、相互間距離Ｐ２に設定されている。
【００２５】
コンタクト端子２０における可動片部の傾斜角度は、コンタクト端子１８の可動片部の傾斜角度に比して小となり緩やかな角度である。また、コンタクト端子２２における可動片部の傾斜角度は、コンタクト端子２０における可動片部の傾斜角度よりも小となりさらに緩やかな角度である。
【００２６】
コンタクト端子２２に対し左側に隣接した位置には、電源ライン用のコンタクト端子２４が配されている。コンタクト端子２４は、配線基板ＰＢの電極部に半田付固定される半田付端子部２４Ｓと、ＩＣカード４０のコンタクトパッド４０Ｐ５に当接し電気的に接続される接点部を二股状に分岐した部分２４ａ、２４ｂの先端にそれぞれ有する可動片部と、半田付端子部２４Ｓと可動片部とを連結する固定部とを含んで構成されている。
【００２７】
コンタクト端子２４の可動片部の部分２４ａ、２４ｂの各接点部は、図１に示されるように、二点接触式とされ、上述のＩＣカード４０のコンタクトパッド４０Ｐ５における１つの共通のコンタクトパッドに当接するものとされる。また、部分２４ａ、２４ｂの各接点部は、共通の平面上に離隔して形成されている。部分２４ｂは、コンタクト端子２２の可動片部に沿って部分２４ａに向けて近接するように傾斜している。部分２４ａは、側壁部１２ＲＷに対し略平行に延びている。二股状に分岐した部分２４ａの先端に位置する接点部は、部分２４ｂの接点部の位置よりも端子固定壁部１２ＢＷに近い位置となるように形成されている。
【００２８】
部分２４ａおよび部分２４ｂ相互間の中央点と上述のコンタクト端子２２の可動片部における接点との距離は、上述の距離Ｐ１に設定されている。
【００２９】
コンタクト端子２４の左側には、コンタクト端子２６および２８が配されている。コンタクト端子２６は、ベース部材１２における略中央となる位置に配されることとなる。コンタクト端子２６は、図１に示されるように、配線基板ＰＢの電極部に半田付固定される半田付端子部２６Ｓと、ＩＣカード４０のコンタクトパッド４０Ｐ６に当接し電気的に接続される接点部を有する可動片部と、半田付端子部と可動片部の基端とを連結する固定部とを含んで構成されている。その可動片部は、側壁部１２ＲＷに対し略平行に延びている。コンタクト端子２８は、配線基板ＰＢの電極部に半田付固定される半田付端子部２８Ｓと、ＩＣカード４０のコンタクトパッド４０Ｐ７に当接し電気的に接続される接点部を有する可動片部と、半田付端子部と可動片部の基端とを連結する固定部とを含んで構成されている。その可動片部は、その接点部が側壁部１２ＲＷに近づく方向にコンタクト端子２６の可動片部に対し所定の角度で傾斜している。
【００３０】
コンタクト端子２８の左側となる位置には、隣接して接地ライン用のコンタクト端子３０が配されている。
【００３１】
コンタクト端子３０は、配線基板ＰＢの電極部に半田付固定される半田付端子部３０Ｓと、ＩＣカード４０のコンタクトパッド４０Ｐ８に当接し電気的に接続される接点部を二股状に分岐した部分３０ａ，３０ｂの先端に有する可動片部と、半田付端子部と可動片部とを連結する固定部とを含んで構成されている。
【００３２】
その可動片部における部分３０ｂは、その接点部が側壁部１２ＲＷに近づく方向に部分３０ａに対し所定の角度で傾斜している。可動片部における部分３０ａは、側壁部１２ＲＷに対し略平行に延びている。
【００３３】
コンタクト端子３０の可動片部の部分３０ａ，３０ｂの各接点部は、二点接触式とされ、上述のＩＣカード４０の共通の一つのコンタクトパッド４０Ｐ８に当接するものとされる。二股状に分岐した部分３０ｂの先端に位置する接点部の位置は、部分３０ａの接点部の位置よりも端子固定壁部１２ＢＷに近い位置となるように形成されている。また、部分３０ａ，３０ｂの各接点部は、共通の平面上に離隔して形成されている。部分３０ａおよび部分３０ｂ相互間の中央点と上述のコンタクト端子２８の可動片部における接点との距離は、上述の距離Ｐ１に設定されている。
【００３４】
コンタクト端子３０の左側となる位置には、さらにコンタクト端子３２、３４、および３６が、それぞれ、順次配されている。
【００３５】
図１において最も左端に位置するコンタクト端子３６は、配線基板ＰＢの電極部に半田付固定される半田付端子部３６Ｓと、ＩＣカード４０のコンタクトパッド４０Ｐ１１に当接し電気的に接続される接点部を有する可動片部と、半田付端子部と可動片部の基端とを連結する固定部とを含んで構成されている。
【００３６】
可動片部は、その接点部が側壁部１２ＬＷから内側に向かって離隔する方向に、即ち、隣接するコンタクト端子３４に近接する方向に固定部に対して所定の角度をもって傾斜している。その接点部は、その固定部の中心軸線に対し上述の距離ＰＥだけ離隔している。また、可動片部の側壁部１２ＲＷおよび１２ＬＷに沿った長さは、コンタクト端子１６と同様に寸法Ｌに設定されている。従って、その所定の傾斜角度は、ｔａｎ−（ＰＥ／Ｌ）となる。
【００３７】
コンタクト端子３２および３４における可動片部もその接点部が側壁部１２ＬＷから内側に向かって離隔する方向に所定の角度で傾斜している。
【００３８】
従って、上述のコンタクト端子１６〜３６の可動片部の各接点部は、共通の平面上に略一列状に配され、略中央の位置に配されるコンタクト端子２６の可動片部の接点部を基準として均等の相互間隔Ｐ１で配されることとなる。
【００３９】
その結果、設計変更によりベース部材１２の横幅をより長くすることなく、二点接触式のコンタクト端子２４および３０の固定部をそれぞれ、ベース部材１２の端子固定壁部１２ＢＷに容易に配置でき、しかも、小型化されたＩＣカードに応じて比較的狭小な相互間隔であるコンタクト端子２４および３０の各接点部を、各コンタクト端子１６〜３６の可動片部の接点部の相互間に微細なピッチで並設できることとなる。
【００４０】
ベース部材１２における端子固定壁部１２ＢＷに対向する部分には、図６における矢印が示すＩＣカード４０の着脱方向に沿ってＩＣカード４０が通過するカードスロットの一部を形成する開口が形成されている。
【００４１】
ベース部材１２における双方の側壁部１２ＲＷおよび１２ＬＷの外面部には、図２および図５に示されるように、それぞれ、カバー部材１０の係合孔１０ｄに係合される爪部１２ｎが複数個、所定の間隔で形成されている。
【００４２】
このような構成において、図６に示されるように、ＩＣカード４０が，そのコンタクトパッド群が形成される端部側からカードスロットを通じてカード収容室１４に挿入される。その際、ＩＣカード４０は、コンタクトパッド群が上述のコンタクト端子１６〜３６の接点部に当接するように一方の表面部が向けられる。これにより、ＩＣカード４０が、カード収容室１４内で各コンタクト端子１６〜３６の接点部とコンタクトパッド群相互間の接触力により保持され、ＩＣカード４０のコンタクトパッド４０Ｐｉとコンタクト端子１６〜３６の接点部が電気的に接続される。その際、ＩＣカード用コネクタに衝撃力が作用した場合であっても二点接触式コンタクト端子２４、３０により瞬断が回避されることとなる。
【００４３】
一方、ＩＣカード４０がカード収容室１４から取り外される場合、その端部が保持され引き抜かれることにより、装填されたＩＣカード４０が取り出されることとなる。
【図面の簡単な説明】
【００４４】
【図１】本発明に係るＩＣカード用コネクタの一例を示す平面図である。
【図２】本発明に係るＩＣカード用コネクタの一例の外観を示す斜視図である。
【図３】図２に示される例における正面図である。
【図４】図２に示される例における背面図である。
【図５】図２に示される例における側面図である。
【図６】図２に示される例における動作説明に供される平面図である。
【符号の説明】
【００４５】
１２    ベース部材
１４    カード収容室
２２、２４、３０、３２    コンタクト端子
４０    ＩＣカード
４０Ｐｉ    コンタクトパッド
【図１】
2008010377.tif 000003
【図２】
2008010377.tif 000004
【図３】
2008010377.tif 000005
【図４】
2008010377.tif 000006
【図５】
2008010377.tif 000007
【図６】
2008010377.tif 000008